(57)【要約】【課題】イオンビームや電子ビームなど、荷電粒子線の偏向現象を、改善ないし緩和することのできる荷電粒子線装置を提供する。【解決手段】荷電粒子輸送路の途中に、該輸送路を遮るために、隔離弁を設けた荷電粒子線装置において、該隔離弁を、導電性接着、圧着、溶接のうちの、少なくとも１つの手段を用いて、接地した。【選択図】  図７
2005005022.tif 000002
【特許請求の範囲】
【請求項１】
荷電粒子輸送路の途中に、該輸送路を遮るために、隔離弁を設けた荷電粒子線装置において、
該隔離弁を、導電性接着、圧着、溶接のうちの、少なくとも１つの手段を用いて、導線にて接地したことを特徴とする荷電粒子線装置。
【請求項２】
前記荷電粒子線装置は、質量分析装置、または電子ビーム装置であることを特徴とする請求項１記載の荷電粒子線装置。
【発明の詳細な説明】
【０００１】
【発明の属する技術分野】
本発明は、荷電粒子輸送路の途中に隔離弁を設けた荷電粒子線装置に関する。
【０００２】
【従来の技術】
質量分析装置は、試料から生成するイオンを真空中で飛行させ、飛行の過程で質量の異なるイオンを分離して、スペクトルとして記録する装置である。質量分析装置には、扇形磁場を用いてイオンの質量分散を行なわせる磁場型質量分析装置、四重極電極を用いて質量によるイオンの選別（フィルタリング）を行なわせる四重極質量分析装置（ＱＭＳ）、質量によるイオンの飛行時間の違いを利用してイオンを分離する飛行時間型質量分析装置（ＴＯＦＭＳ；ｔｉｍｅ  ｏｆ  ｆｌｉｇｈｔ  ＭＳ）などが知られている。
【０００３】
これらの質量分析装置の内、磁場型質量分析装置とＱＭＳは、連続的にイオンを生成するタイプのイオン源に適合しているのに対し、ＴＯＦＭＳは、パルス状にイオンを生成するタイプのイオン源に適合している。従って、連続型のイオン源をＴＯＦＭＳに利用しようとすれば、イオン源の利用のしかたに工夫が必要である。直交加速型飛行時間型質量分析装置（ＯＡ−ＴＯＦＭＳ；ｏｒｔｈｏｇｏｎａｌ  ａｃｃｅｌｅｒａｔｉｏｎ  ＴＯＦＭＳ）は、連続型のイオン源からパルス状のイオンを射出することができるように工夫されたＴＯＦＭＳの一例である。
【０００４】
図１に、典型的なＯＡ−ＴＯＦＭＳの構成を示す。ＯＡ−ＴＯＦＭＳは、電子衝撃（ＥＩ）イオン源、化学イオン化（ＣＩ）イオン源、電界脱離（ＦＤ）イオン源、エレクトロスプレイ（ＥＳＩ）イオン源、高速原子衝撃（ＦＡＢ）イオン源などの連続型のイオン生成源１と、イオン生成源１で生成したイオンを、分析部に向けて輸送する、イオン輸送部２と、イオン輸送部２の後段に置かれた直交加速型飛行時間型質量分析器１０とで構成され、イオン輸送部２と、直交加速型飛行時間型質量分析器１０との間は、隔離弁３で、空間的に分断できるようになっている。
【０００５】
イオンが、平行に配置された２つの電極、イオン押し出し電極６とグリッド７とで構成されたイオン溜５に、入射する場合、その入射角度と入射エネルギーには、ＴＯＦＭＳの分解能を確保するための制約がある。そのため、隔離弁３の後段で、かつ、イオン溜４の前段に、入射ビーム規制スリット４を設けて、イオンビームの広がりを規制している。
【０００６】
イオンビームは、最初、図２に示すように、２０〜５０ｅＶの低エネルギー状態で、イオン押し出し電極６とグリッド７によって挟まれたイオン溜５に向けて、平行に進入する。イオン溜５内を平行に移動する一定の長さを持ったイオンビーム（ａ）は、イオン押し出し電極６に、図３に示すような、イオンの極性と同じ極性の、数ｋＶ程度のパルス状の加速電圧を印加することにより、イオンビーム（ａ）の進入軸方向（Ｚ軸方向）とは垂直な方向（Ｘ軸方向）にパルス状に加速され、ＴＯＦ飛行イオンビーム（ｂ）となって、イオン溜５と対向する位置に設けられた、リフレクター８に向けて飛行を開始する。
【０００７】
垂直方向に加速されたイオンは、直交加速飛行時間型質量分析器１０に導入されたときのＺ軸方向の速度と、それとは垂直な方向にイオン押し出し電極６、及びグリッド７によって与えられたＺ軸方向の速度とが足し合わされるため、完全なＺ軸方向ではなく、わずかに斜めを向いたＺ軸方向に飛行し、リフレクター８で反射されて、イオン検出器９に到達する。
【０００８】
イオンの加速の過程では、イオンの質量の大小にかかわらず、同じ電位差がイオンに作用するため、軽いイオンほど速度が速くなり、重いイオンほど速度が遅くなる。その結果、イオンの質量の違いがイオン検出器８に到達するまでの到達時間の違いとなって現れ、イオンの質量の違いをイオンの飛行時間の違いとして分離することができる。
【０００９】
このようにして、連続型のイオン生成源１から生成したイオンビームを、イオン押し出し電極６、及びグリッド７から成るイオン溜５によって、パルス状に加速することにより、連続型のイオン源を、パルス状のイオン源に対して適合性を持つＴＯＦＭＳに適用することができる（特許文献１）。
【００１０】
【特許文献１】
特開２００２−１１７８０２号公報
【００１１】
【発明が解決しようとする課題】
ところで、イオン溜５に、２０〜５０ｅＶ程度の、低い加速エネルギーのイオンが導入された際、隔離弁３や、入射ビーム規制スリット４や、イオン溜５を構成しているイオン押し出し電極６とグリッド７などに、汚れがある場合は、そこにイオンの持つ電荷が蓄積されて、帯電状態になる。
【００１２】
そうなると、その帯電した部位に、本来のイオン光学系に想定しなかった、異常な電位が形成され、そこに生じた電界が、低速のイオンのビーム軸（ｃ）を、イオン溜５の中心光軸（ｄ）からずれた方向へと偏向し、イオン溜５への正常なイオン導入の妨げとなる。
【００１３】
この状況を、シミュレーションした例を、図４に示す。イオン押し出し電極６に、＋０．３Ｖ、あるいは、−０．３Ｖのオフセット電圧が印加された状態では、イオンビームの入射軌道は、ＢやＣのように曲げられてしまう。
【００１４】
この現象は、イオンの持つ加速エネルギーが、２０〜５０ｅＶ程度と低いことと関係しており、低加速エネルギーのイオンを扱う場合には、微弱な電位の異常形成に、確実に対処する必要があった。
【００１５】
このような問題は、ＯＡ−ＴＯＦＭＳに限られるものではなく、低加速エネルギーの荷電粒子を扱う、一般の質量分析装置や、電子ビーム装置にも、言えることである。
【００１６】
本発明の目的は、上述した点に鑑み、イオンビームや電子ビームなど、荷電粒子線の偏向現象を、改善ないし緩和することのできる荷電粒子線装置を提供することにある。
【００１７】
【課題を解決するための手段】
この目的を達成するため、本発明の荷電粒子線装置は、
荷電粒子輸送路の途中に、該輸送路を遮るために、隔離弁を設けた荷電粒子線装置において、
該隔離弁を、導電性接着、圧着、溶接のうちの、少なくとも１つの手段を用いて、導線にて接地したことを特徴としている。
【００１８】
また、前記荷電粒子線装置は、質量分析装置、または電子ビーム装置であることを特徴としている。
【００１９】
【発明の実施の形態】
以下、図面を参照して本発明の実施の形態を説明する。図５と図６は、本発明にかかる飛行時間型質量分析装置のイオン溜近傍の一実施例を示した図である。図中、３は、図示しないイオン生成・輸送部から入射してくる、イオンビームの経路を分断し、イオンビームを遮るための、隔離弁である。２つの図のうち、図５が、隔離弁３の開いた状態、図６が、隔離弁３の閉じた状態を表わしている。
【００２０】
イオンが、平行に配置された２つの電極、イオン押し出し電極６とグリッド７とで構成されたイオン溜５に、入射する場合、その入射角度と入射エネルギーには、ＴＯＦＭＳの分解能を確保するための制約がある。そのため、隔離弁３の後段で、かつ、イオン溜５の前段に、入射ビーム規制スリット４を設けて、イオンビームの広がりを規制している。
【００２１】
イオンビームは、最初、図５に示すように、２０〜５０ｅＶの低エネルギー状態で、イオン押し出し電極６とグリッド７によって挟まれたイオン溜５に向けて、平行に進入する。イオン溜５内を平行に移動する一定の長さを持ったイオンビーム（ａ）は、イオン押し出し電極６に、図３に示すような、イオンの極性と同じ極性の、数ｋＶ程度のパルス状の加速電圧を印加することにより、イオンビーム（ａ）の進入軸方向（Ｚ軸方向）とは垂直な方向（Ｘ軸方向）にパルス状に加速され、ＴＯＦ飛行イオンビーム（ｂ）となって、イオン溜５から吐き出される。
【００２２】
一方、隔離弁３が、閉じた状態では、図６に示すように、イオンビームは、イオン溜５内には進入しない。ところが、従来、隔離弁３が閉鎖されると、隔離弁３の表面にイオンビームが照射され、時により、隔離弁３は、帯電することがあった。
【００２３】
その理由は、図７（ａ）に示すように、隔離弁３には、弁の開閉のために、◎で表わした摺動回転接続部（ｅ）が存在し、従来、◎の摺動回転接続部（ｅ）を介して、飛行時間型質量分析装置の壁部（ｆ）に接地していたため、接地に不確実性があったためである。
【００２４】
そこで、この問題の改善策として、図７（ｂ）に示した事例のように、隔離弁３が、確実に接地電位となるように、◎の摺動回転接続部（ｅ）を介した接地に加え、別途、アース接続線１１により、電気的に確実に接地する対策を施すようにした。確実な接地方法としては、摺動接触方式だけではなく、アース接続線１１と隔離弁３の本体との接続部に、導電性接着、圧着、溶接のうちの、少なくとも１つの手段を用いて、確実に導線で接地する方式が取られる必要がある。
【００２５】
そして、隔離弁３の開閉の動きに対しては、フレキシブルな配線で、接地電位部とイオンビームが当たる部位とが、接続される構造にする必要がある。
【００２６】
このように構成することにより、例えば、図６のように、隔離弁３が閉鎖され、イオンビームが隔離弁３に照射されて、イオンの電荷が、隔離弁３の表面に移動したとしても、それらの電荷は、速やかに、接地電位へと流れて、隔離弁３に電荷が蓄積されることはなくなり、帯電することがなくなる。帯電が生じないので、再び、隔離弁３が開いたときに、低速のイオンビームが、偏向を受けて、イオン溜５の中心光軸（ｄ）からずれた方向へと進むこともなく、イオン溜５への正常なイオン導入の妨げとなることはない。
【００２７】
尚、このような隔離弁の接地方法は、飛行時間型質量分析装置のみに適用されるものではない。例えば、隔離弁を備えた、飛行時間型以外の質量分析装置や、電子ビームを取り扱う、電子顕微鏡や電子ビーム露光装置など、さまざまな荷電粒子線装置に対しても、適用可能である。
【００２８】
【発明の効果】
本発明の結果、イオンビームや電子ビームなど、荷電粒子線の偏向現象を、改善ないし緩和することのできる荷電粒子線装置を提供することが可能になった。
【図面の簡単な説明】
【図１】従来の飛行時間型質量分析装置を示す図である。
【図２】従来の飛行時間型質量分析装置のイオン溜近傍を示す図である。
【図３】イオン押し出し電極への印加電圧を示す図である。
【図４】イオン溜内のイオンビームの偏向の様子を示す図である。
【図５】本発明にかかる飛行時間型質量分析装置のイオン溜周辺の一実施例を示す図である。
【図６】本発明にかかる飛行時間型質量分析装置のイオン溜周辺の一実施例を示す図である。
【図７】本発明にかかる飛行時間型質量分析装置の隔離弁の一実施例を示す図である。
【符号の説明】
１・・・イオン生成源、２・・・イオン輸送部、３・・・隔離弁、４・・・入射ビーム規制スリット、５・・・イオン溜、６・・・イオン押し出し電極、７・・・グリッド、８・・・リフレクター、９・・・イオン検出器、１０・・・直交加速飛行時間型質量分析器、１１・・・アース接続線。
【図１】
2005005022.tif 000003
【図２】
2005005022.tif 000004
【図３】
2005005022.tif 000005
【図４】
2005005022.tif 000006
【図５】
2005005022.tif 000007
【図６】
2005005022.tif 000008
【図７】
2005005022.tif 000009